(57)【要約】【課題】片側作業で母材パネルと部材をナットとボルトで締結でき、簡単に取り外しが行なえるナットを提供する。【解決手段】  フランジ１と足部３を平行になるように押さえると、上部ひんじ８と下部ひんじ９逆方向に曲がり直交していたフランジ１およびナット本体１０と足部３が平行になる形状に変形しパネル下孔から挿入でき、これにボルトを締めこめば締結ができる。また、取り外しは取付け時と反対の動作で外すことが出来る。【選択図】図１
2008202774.tif 000002
【特許請求の範囲】
【請求項１】
金属製板状ナットの、ほぼ中央に設けたメネジを挟む左右に、ほぼ四角形の貫通する角孔を設け、この角孔にフランジとそれから垂直に伸びた２本の足部で構成された弾性体の足部を嵌め合わせ、金属製板状ナットが弾性体の足部を伝い自在に移動するようにした事を特徴とする外入れナットである。
【請求項２】
弾性体の足部、上部と下部の２箇所、計４個所にひんじ部を設けフランジおよび金属製板状ナットと足部が平行になる方向に折り曲げると、上部と下部のひんじ部がそれぞれ逆方向に曲がり、パネル下孔へ金属製板状ナットと弾性体の足部が挿入できる形状になる事を特徴とする外入れナットである。
【請求項３】
ボルトが金属製板状ナットのメネジに、ずれる事無くかんごう出来るように、弾性体足部の内側左右にボルトを四方から挟むガイド設けた事を特徴とする外入れナットである。
【発明の詳細な説明】
【技術分野】
【０００１】  本発明は、片側作業で下孔をあけた母材パネルに部材を締結するためのナットに関する。
【背景技術】
【０００２】  従来、片側作業で下孔をあけた母材パネルに部材を締結する一般的な方法に、かしめ締結具リベットがある。
【発明の開示】
【発明が解決しようとする課題】
【０００３】  リベットは締結すると、これを切断しなければ取り外すことが出来ない。【０００４】  また、リベットは樹脂パネルで使用すると樹脂パネルが割れてしまうことがあった。【０００５】  本発明はこのような問題を解決するため、片側作業でボルトとナットでの締結ができ、かつ容易に取り外すことが可能なナットの提供を目的とする。
【課題を解決するための手段】
【０００６】  そして、本発明は上記目的を達成するため、ナットは金属製の板状としナットの縦サイズは挿入しようとするパネル下孔径より小さく、横サイズはパネル下孔径よりも大きいものである。したがってナットをパネル下孔より挿入後、裏側でほぼ９０度回転するとアンカーとなり抜けなくなる。そして、ボルトを締め込むためナットのほぼ中央部に貫通するメネジを有する。【０００７】  第２の課題解決手段としてナットをパネル下孔より挿入後、脱落せずに裏側に定着させる手段として、ナットはメネジの左右にほぼ四角形の貫通する角孔を設け、これにフランジ付き弾性体の足部を嵌めこむことでフランジのみ表側に残しナットが裏側に落ちることなく定着する組み合わせとした。【０００８】  上記構成の作用を説明する。直交するフランジと足部が平行になるように押えると足部に４個所設けられた、ひんじ部が曲がり図６のように変形しパネル下孔より挿入できる形状になる。【０００９】  挿入後、フランジをパネル下孔に密着させると図７のように再び変形しボルトが装着できる形状になる。【００１０】  図８のようにボルトを入れるとボルトは足部に設けられたボルト内側ガイド４とボルト外側ガイド５に挟まれ、メネジ１２中央に誘導され、ずれることなくボルトとメネジ１２がかんごうする。【００１１】  これにボルトを締めこんでゆくとメネジ１２がかみ合い、足部３を伝いフランジ方向に向かってナット本体１０が移動し図９のように締結ができる。また、締結と逆の順序で取り外すことが可能である。
【発明の効果】
【００１２】  上記したように本発明外入れナットは手の入らないものの、表側から裏側にナットを挿入しボルト止めを可能にし、かつ取り外すことができる。【００１３】  また、弾性体で出来たフランジは防水効果を発揮する。
【発明を実施するための最良の形態】
【００１４】  以下、本発明の実施形態を図１〜図９に基づいて説明する。【００１５】  図１において、フランジ１は締結しようとするパネル下孔に貫通しない径である。ボルト挿入孔２は用いられるボルトオネジ挿入孔である。足部３は折り曲げたとき他の部分に干渉しない形状である。ボルト内側ガイド４とボルト外側ガイド５は垂直にボルトが挿入出来るように四方からボルトを抑えるガイドである。図２のナット保持部６は図１の角孔１１とほぼ同じサイズであり角孔１１にかんごうすると足部３が広がることを抑える。図２においてナット固定部７は角孔１１より貫通すると容易に外れる事がないフックの役割を果たす。上部ひんじ８と下部ひんじ９はそれぞれ反対の方向に９０度容易に曲がるように足部３よりも薄い形状である。また１から９は一体をなす弾性体である。【００１６】  図１においては、ナット本体１０は、ほぼ板状の形状である。角孔１１は上記したように弾性体とかんごうする。メネジ１２はボルトオネジが回し入れられ、ナット頭部１３はパネル下孔に出し入れし易いように丸みを帯びた形状である。ずれ防止突起１４は締結後、パネル下孔にはまりずれる事を防止する。１０から１４は一体をなす金属製板状ナットで出来ている。【００１７】  上記で構成された弾性体のナット固定部７を角孔１１に貫通するまで圧入すると、角孔１１にナット固定部７が引っかかり容易には外れない。【００１８】  弾性体と金属製板状ナットを上記構成で組み合わせたものが本発明外入れナットである。【００１９】  以下、上記構成の設置動作を説明する。図１においてフランジ１と足部３を指で摘まむと上部ひんじ８と下部ひんじ９が折れ曲がり図６の形状になる。これを締結しようとする部材１５と母材パネル１６の下孔に挿入するとフランジ１のみ表側に残し裏側に挿入できる。【００２０】  フランジ１以外の部分が裏側に入りフランジ１を母材パネル１６の下孔に密着する形状に変形させると図７のように装着される。【００２１】  図８のようにボルト挿入孔２よりボルト１７を入れるとボルト内側ガイド４とボルト外側ガイド５に四方から挟まれたボルト１７のオネジは、ずれる事無くメネジ１２にかんごうする。【００２２】  これにボルト１７を少し押すように締めこんでゆくとメネジ１２がかみ合い、図９のように角孔１１はナット保持部６から外れ、さらにボルト内側ガイド４とボルト外側ガイド５を通過し母材パネル１６に密着し締結が完了する。【００２３】  上記設置動作により裏側に手の入らないものに表側からの片側作業で部材の締結が可能となる。【００２４】  そして、上記設置動作の反対動作により取り外すことが出来るものである。【００２５】  また、フランジ１は弾性体であるため防水効果を得られるものである。
【産業上の利用可能性】
【００２６】  取り外すことができることで修理や部材の再利用などが容易にできる。【００２７】  また、手の入らない樹脂製の箱ものの締結はリベットでは締結時に割れてしまうことが多いため分解不可能な接着剤で取り付けていることが一般的であったが、母材に負担をかけず有効に締結でき取り外しも可能な本発明外入れナットは産業上非常に利用価値のあるものである。
【図面の簡単な説明】
【００２８】
【図１】本願発明外入れナットの全体図
【図２】本願発明外入れナットの弾性体単体図
【図３】本願発明外入れナットの金属製ナット単体図
【図４】本願発明外入れナットの金属製ナット単体図
【図５】本願発明外入れナットの側面図
【図６】本願発明外入れナットの外側孔挿入変形図
【図７】本願発明外入れナットの挿入完了形態図
【図８】本願発明外入れナットのボルトかんごう形態図
【図９】本願発明外入れナットの締結形態図
【符号の説明】
【００２９】１．    フランジ
２．    ボルト挿入孔
３．    足部
４．    ボルト内側ガイド
５．    ボルト外側ガイド
６．    ナット保持部
７．    ナット固定部
８．    上部ひんじ
９．    下部ひんじ
１０．  ナット本体
１１．  角孔
１２．  メネジ
１３．  ナット頭部
１４．  ずれ防止突起
１５．  部材
１６．  母材パネル
１７．  ボルト
【図１】
2008202774.tif 000003
【図２】
2008202774.tif 000004
【図３】
2008202774.tif 000005
【図４】
2008202774.tif 000006
【図５】
2008202774.tif 000007
【図６】
2008202774.tif 000008
【図７】
2008202774.tif 000009
【図８】
2008202774.tif 000010
【図９】
2008202774.tif 000011